(57)【要約】【課題】複数のセンサを簡単に取り外してメンテナンスし易い画像読取装置及びこれを備えた画像形成装置を提供する。【解決手段】搬送路を有する本体部と、シートに当接して移動する原稿有無フラグと、原稿有無フラグを検知可能な原稿有無センサ２９と、を有する第１検出手段と、シートに当接して移動する原稿エッジフラグ２５と、原稿エッジフラグを検知可能な原稿エッジセンサ３０と、を備える。本体部に着脱可能に支持されると共に原稿有無センサ２９及び原稿エッジセンサ３０を支持するセンサホルダ２８を備える。【選択図】図４
2018133699.tif 000002
【特許請求の範囲】
【請求項１】
シートを支持するシート支持手段と、
前記シート支持手段に支持されたシートを給送する給送手段と、
前記給送手段によって給送されたシートの画像を読み取る読取手段と、
前記給送手段によって給送されたシートを前記読取手段に案内する搬送路を有する本体部と、
シートに当接して移動する第１移動部と、前記第１移動部を検知可能な第１検知部と、を有する第１検知手段と、
シートに当接して移動する第２移動部と、前記第２移動部を検知可能な第２検知部と、を有する第２検知手段と、
前記本体部に着脱可能に支持されると共に、前記第１検知部及び前記第２検知部を支持する支持部材と、を備える、
ことを特徴とする画像読取装置。
【請求項２】
前記第１移動部は、前記シート支持手段に支持されたシートに当接して移動し、
前記第１検知手段は、前記第１検知部の検知結果に基づいて前記シート支持手段に支持されるシートの有無を検知し、
前記第２移動部は、前記搬送路を搬送されるシートに当接して移動し、
前記第２検知手段は、前記第２検知部の検知結果に基づいて前記搬送路を搬送されるシートの位置を検知する、
ことを特徴とする請求項１に記載の画像読取装置。
【請求項３】
前記支持部材は、前記第２移動部を移動可能に支持する、
ことを特徴とする請求項１又は２に記載の画像読取装置。
【請求項４】
前記読取手段は、シートの第１面の画像を読み取る第１読取部と、シートの第１面とは反対の第２面の画像を読み取る第２読取部と、を有し、
前記支持部材は、前記第２読取部の上方に配置される、
ことを特徴とする請求項１乃至３のいずれか１項に記載の画像読取装置。
【請求項５】
前記搬送路は、Ｕ字状に湾曲して形成され、
前記本体部は、シート搬送方向における前記搬送路の上流側を構成する第１案内部材と、前記第１案内部材の下方に設けられ、前記シート搬送方向における前記搬送路の下流側を構成する第２案内部材と、を有する案内手段を有し、
前記支持部材は、前記第２案内部材に着脱可能に支持される、
ことを特徴とする請求項１乃至４のいずれか１項に記載の画像読取装置。
【請求項６】
前記第１移動部は、前記第１案内部材に移動可能に支持される、
ことを特徴とする請求項５に記載の画像読取装置。
【請求項７】
前記第１移動部及び前記第２移動部は、それぞれ回動可能に支持され、
前記第１検知部及び前記第２検知部は、フォトセンサである、
ことを特徴とする請求項１乃至６のいずれか１項に記載の画像読取装置。
【請求項８】
シートを支持するシート支持手段と、
前記シート支持手段に支持されたシートを給送する給送手段と、
前記給送手段によって給送されたシートの画像を読み取る読取手段と、
前記給送手段によって給送されたシートを前記読取手段に案内する搬送路を有する本体部と、
前記シート支持手段に支持されるシートの有無に関する信号を第１コネクタ部から出力する第１検知部と、
前記搬送路を搬送されるシートの位置に関する信号を第２コネクタ部から出力する第２検知部と、
前記本体部に着脱可能に支持されると共に、前記第１検知部及び前記第２検知部を支持する支持部材と、を備える、
ことを特徴とする画像読取装置。
【請求項９】
シートを支持するシート支持手段と、
前記シート支持手段に支持されたシートを給送する給送手段と、
前記給送手段によって給送されたシートの画像を読み取る読取手段と、
前記給送手段によって給送されたシートを前記読取手段に案内する搬送路を有する本体部と、
シートに当接して移動する第１フラグと、前記第１フラグを検知可能な第１フォトセンサと、を有する第１検知手段と、
シートに当接して移動する第２フラグと、前記第２フラグを検知可能な第２フォトセンサと、を有する第２検知手段と、
前記第１フォトセンサ、前記第２フォトセンサ及び前記第２フラグを支持する第１支持部材と、
前記第１フラグを支持する第２支持部材と、を備え、
前記第１フラグは、前記シート支持手段に支持されたシートに当接して移動し、
前記第１検知手段は、前記第１フォトセンサの検知結果に基づいて前記シート支持手段に支持されるシートの有無を検知し、
前記第２フラグは、前記搬送路を搬送されるシートに当接して移動し、
前記第２検知手段は、前記第２フォトセンサの検知結果に基づいて前記搬送路を搬送されるシートの位置を検知する、
ことを特徴とする画像読取装置。
【請求項１０】
請求項１乃至９のいずれか１項に記載の画像読取装置と、
前記画像読取装置によって読取られた画像情報に基づいて、記録媒体に画像を形成する画像形成手段と、を備える、
ことを特徴とする画像形成装置。
【発明の詳細な説明】
【技術分野】
【０００１】
本発明は、シートの画像を読み取る画像読取装置及びこれを備える画像形成装置に関する。
【背景技術】
【０００２】
一般に、原稿トレイ等に積載された原稿を１枚ずつ自動的に給送し、Ｕターン搬送路を搬送される原稿から画像情報を読取可能な画像読取装置が広く知られている。従来、このようなＵターン搬送路に沿って、原稿トレイに原稿がセットされていることを検知する第１センサと、Ｕターン搬送路を搬送されるシートの位置を検知する第２〜第４センサと、を有する画像読取装置が提案されている（特許文献１参照）。これら第１〜第４センサは、それぞれシートに押圧されて回転する回転子によって光路が遮蔽され得る光学センサから構成されている。
【先行技術文献】
【特許文献】
【０００３】
【特許文献１】特開２０１０−２３９５９５号公報
【発明の概要】
【発明が解決しようとする課題】
【０００４】
近年、画像読取装置の高機能化に伴って複数のセンサが設けられ、これら複数のセンサを取り外してメンテナンスする際に他のセンサの束線が邪魔になりメンテナンス性が良くないという問題があった。
【０００５】
そこで、本発明は、複数のセンサを簡単に取り外してメンテナンスし易い画像読取装置及びこれを備えた画像形成装置を提供することを目的とする。
【課題を解決するための手段】
【０００６】
本発明は、画像読取装置において、シートを支持するシート支持手段と、前記シート支持手段に支持されたシートを給送する給送手段と、前記給送手段によって給送されたシートの画像を読み取る読取手段と、前記給送手段によって給送されたシートを前記読取手段に案内する搬送路を有する本体部と、シートに当接して移動する第１移動部と、前記第１移動部を検知可能な第１検知部と、を有する第１検知手段と、シートに当接して移動する第２移動部と、前記第２移動部を検知可能な第２検知部と、を有する第２検知手段と、前記本体部に着脱可能に支持されると共に、前記第１検知部及び前記第２検知部を支持する支持部材と、を備える、ことを特徴とする。
【０００７】
また、本発明は、画像読取装置において、シートを支持するシート支持手段と、前記シート支持手段に支持されたシートを給送する給送手段と、前記給送手段によって給送されたシートの画像を読み取る読取手段と、前記給送手段によって給送されたシートを前記読取手段に案内する搬送路を有する本体部と、前記シート支持手段に支持されるシートの有無に関する信号を第１コネクタ部から出力する第１検知部と、前記搬送路を搬送されるシートの位置に関する信号を第２コネクタ部から出力する第２検知部と、前記本体部に着脱可能に支持されると共に、前記第１検知部及び前記第２検知部を支持する支持部材と、を備える、ことを特徴とする。
【０００８】
また、本発明は、画像読取装置において、シートを支持するシート支持手段と、前記シート支持手段に支持されたシートを給送する給送手段と、前記給送手段によって給送されたシートの画像を読み取る読取手段と、前記給送手段によって給送されたシートを前記読取手段に案内する搬送路を有する本体部と、シートに当接して移動する第１フラグと、前記第１フラグを検知可能な第１フォトセンサと、を有する第１検知手段と、シートに当接して移動する第２フラグと、前記第２フラグを検知可能な第２フォトセンサと、を有する第２検知手段と、前記第１フォトセンサ、前記第２フォトセンサ及び前記第２フラグを支持する第１支持部材と、前記第１フラグを支持する第２支持部材と、を備え、前記第１フラグは、前記シート支持手段に支持されたシートに当接して移動し、前記第１検知手段は、前記第１フォトセンサの検知結果に基づいて前記シート支持手段に支持されるシートの有無を検知し、前記第２フラグは、前記搬送路を搬送されるシートに当接して移動し、前記第２検知手段は、前記第２フォトセンサの検知結果に基づいて前記搬送路を搬送されるシートの位置を検知する、ことを特徴とする。
【発明の効果】
【０００９】
本発明によると、支持部材を取り外すことで第１検知部及び第２検知部を本体部から容易に取り外すことができ、メンテナンス性を向上することができる。
【図面の簡単な説明】
【００１０】
【図１】（ａ）は本実施の形態に係るプリンタを示す全体概略図、（ｂ）は画像形成エンジンの構成を示す概略図。
【図２】プリンタを示す斜視図。
【図３】ＡＤＦの構成を示す拡大図。
【図４】搬送上ガイドを取り外した状態のＡＤＦを示す斜視図。
【図５】センサホルダを示す斜視図。
【発明を実施するための形態】
【００１１】
＜第１の実施の形態＞
〔全体構成〕
まず、本発明の第１の実施の形態について説明する。第１の実施の形態に係る画像形成装置としてのプリンタ１００は、電子写真方式のレーザビームプリンタである。プリンタ１００は、図１（ａ）に示すように、プリンタ本体７０と、プリンタ本体７０の上部に装着される画像読取部１０と、を備えている。なお、以下において、シートとは、普通紙の他にも、コート紙等の特殊紙、封筒やインデックス紙等の特殊形状からなる記録材、及びオーバーヘッドプロジェクタ用のプラスチックフィルムや布などを含むものとする。また、シートには、片面又は両面に画像を有する原稿や、両面に画像の無い白紙の原稿も含まれる。
【００１２】
プリンタ本体７０は、筐体７０Ａの内部に画像形成エンジン６０を有している。画像形成エンジン６０は、図１（ｂ）に示すように、電子写真方式の画像形成ユニットＰＵと、定着装置７と、を備えている。画像形成動作の開始が指令されると、感光体である感光ドラム１が回転し、ドラム表面が帯電装置２によって一様に帯電される。すると、露光装置３が画像読取部１０又は外部のコンピュータから送信された画像データに基づいてレーザ光を変調して出力し、感光ドラム１の表面を走査して静電潜像を形成する。この静電潜像は、現像装置４から供給されるトナーによって可視化（現像）されてトナー像となる。
【００１３】
このような画像形成動作に並行して、不図示のカセット又は手差しトレイに積載されたシートを画像形成エンジン６０へ向けて給送する給送動作が実行される。給送されたシートは、画像形成ユニットＰＵによる画像形成動作の進行に合わせて搬送される。そして、感光ドラム１に担持されたトナー像は、転写ローラ５によってシートに転写される。トナー像転写後に感光ドラム１上に残ったトナーは、クリーニング装置６によって回収される。未定着のトナー像が転写されたシートは、定着装置７へと受け渡されて、ローラ対に挟持されて加熱及び加圧される。トナーがシートに対して溶融及び固着して画像が定着したシートは、排出ローラ対によって筐体７０Ａの外部に排出される。なお、両面印刷を行う場合、定着装置７を通過したシートは、反転搬送部８によって反転した状態で再び画像形成ユニットＰＵへ向けて搬送され、裏面に画像を形成された後に筐体７０Ａの外部に排出される。
【００１４】
また、プリンタ本体７０には制御部８０が搭載されている。制御部８０は、プリンタ１００を統括制御する中央処理装置（ＣＰＵ）と、ＣＰＵが実行するプログラムや画像情報及び設定情報を記憶するメモリと、を含む。制御部８０は、画像形成エンジン６０を制御して、記録媒体であるシートに画像を形成させる画像形成動作を実行可能である。
【００１５】
なお、画像形成エンジン６０は、記録媒体としてのシートに画像を形成可能な画像形成手段の一例であり、上述の直接転写方式に代えて中間転写体を含む中間転写方式の構成を用いてもよく、インクジェット方式等の他の機構を用いてもよい。
【００１６】
［画像読取部］
次に、画像読取装置の一例である画像読取部１０について説明する。画像読取部１０は、図２に示すように、原稿トレイ１４に載置された原稿を自動的に給送するＡＤＦ１１と、原稿台ガラスを備えたスキャナ部１２と、を備えている。ＡＤＦ１１（Ａｕｔｏ  Ｄｏｃｕｍｅｎｔ  Ｆｅｅｄｅｒ）は、原稿台ガラスが開放可能となるように、ヒンジによってスキャナ部１２に対して回動可能に支持されている。
【００１７】
図１（ａ）に示すように、ＡＤＦ１１は、原稿Ｄ１が支持されるシート支持手段としての原稿トレイ１４と、原稿トレイ１４に支持された原稿Ｄ１を搬送する原稿搬送部１５と、原稿Ｄ１が排出される排出トレイ２７と、を備えている。原稿搬送部１５は、略Ｕ字状に湾曲した搬送路２２を有する。原稿搬送部１５には、この搬送路２２に沿ってピックアップローラ１７、分離ローラ１８、分離パッド１９、原稿ストッパ２０、原稿有無フラグ２１、搬送ローラ対２３、排出ローラ対２４、及び原稿エッジフラグ２５が配置されている。
【００１８】
ＡＤＦ１１及びスキャナ部１２には、それぞれ原稿Ｄ１から画像情報を読取り可能な読取センサ１６，２６が配置されている。読取センサ１６，２６としては、密着型イメージセンサが用いられている。即ち、読取センサ１６，２６は、光源としてのＬＥＤアレイから原稿Ｄ１の画像情報面に光を照射し、画像情報面で反射した反射光をレンズでセンサ素子に結像して画像情報を読取るものである。これら読取センサ１６，２６は、シートの画像を読み取る読取手段としての読取ユニット５０を構成している。
【００１９】
以下、画像読取部１０がＡＤＦ１１によって原稿Ｄ１を給送しながら原稿Ｄ１から画像情報を読取る動作、すなわち流し読み動作について説明する。まず、操作者が原稿Ｄ１を原稿トレイ１４に載置する。このとき、原稿Ｄ１の先端位置が原稿ストッパ２０によって規制されると共に、原稿有無フラグ２１が原稿Ｄ１に押圧されることによって原稿Ｄ１が検知され、制御部８０が原稿の存在を認識する。
【００２０】
そして、操作者が不図示の操作部を介して読取開始を指示すると、不図示の駆動部から供給される駆動力によって原稿ストッパ２０が押し下げられ、ピックアップローラ１７によって原稿Ｄ１が分離ローラ１８と分離パッド１９の間の分離部まで搬送される。すると、分離パッド１９によって原稿Ｄ１が他の原稿から分離され、最上位の原稿Ｄ１が分離ローラ１８によって搬送される。分離された原稿Ｄ１は、搬送ローラ対２３によって搬送路２２に沿って搬送され、読取センサ１６，２６による読取位置へ向けて搬送される。
【００２１】
その後、後述する原稿エッジセンサ３０（図４参照）により原稿Ｄ１の先端部が検知されると、原稿Ｄ１の先端部が原稿エッジセンサ３０の検知位置から所定量搬送されるタイミングで読取センサ１６，２６による画像情報の読取りが開始される。スキャナ部１２に配置された第１読取部としての読取センサ１６は、原稿Ｄ１の第１面（表面）から画像情報を読取る。ＡＤＦ１１に配置された第２読取部としての読取センサ２６は、原稿Ｄ１の第１面とは反対の第２面（裏面）から画像情報を読取る。読取センサ１６，２６の読取位置を通過した原稿Ｄ１は、排出ローラ対２４に向かって搬送される。そして、原稿エッジセンサ３０（図４参照）により原稿Ｄ１の後端部が検知されると、原稿Ｄ１の後端部が原稿エッジセンサ３０の検知位置から所定量搬送されるタイミングで読取センサ１６、２６による画像情報の読取りが終了する。そして、原稿Ｄ１は、排出ローラ対２４によって排出トレイ２７へ排出される。このような読取動作は、原稿トレイ１４に載置された原稿が存在しないことが原稿有無フラグ２１及び後述する原稿有無センサ２９（図３参照）によって検知されるまで繰り返される。
【００２２】
なお、画像読取部１０は、スキャナ部１２の原稿台ガラスに載置された原稿から画像情報を読取る動作、すなわち固定読み動作を実行可能である。この場合、原稿台ガラスに原稿が静置された状態で、読取センサ１６が原稿台ガラスに沿って副走査方向（図１（ａ）中左右方向）に移動することで、原稿から画像情報が読取られる。
【００２３】
［本体部及び各センサの構成］
次に、図３及び図４を用いてＡＤＦ１１の筐体としての本体部４０及び各センサの構成について説明する。搬送路２２を有する本体部４０は、図３に示すように、本体フレーム４１と、開閉フレーム４２と、第１案内部材及び第２支持部材としての搬送上ガイド３１と、搬送下ガイド３２と、を有している。本体フレーム４１は、ＡＤＦ１１をスキャナ部１２に対して支持するヒンジが設けられており、開閉フレーム４２は、本体フレーム４１に開閉可能に支持され、開かれることで搬送路２２を開放可能に構成されている。搬送上ガイド３１は、搬送路２２のシート搬送方向における上流側を構成し、第２案内部材としての搬送下ガイド３２は、搬送上ガイド３１の下方に設けられると共にシート搬送方向における搬送路２２の下流側を構成している。これら搬送上ガイド３１及び搬送下ガイド３２は、案内手段６３を構成している。
【００２４】
搬送上ガイド３１は、図３に示すように、原稿有無フラグ２１の回動軸２１ａを回動可能に支持しており、第１移動部及び第１フラグとしての原稿有無フラグ２１は、原稿有無センサ２９の検知部２９ａ（図４参照）を遮蔽可能な遮蔽部２１ｂを有している。原稿有無フラグ２１は、待機状態で搬送路２２に突出するように配置されており、このとき遮蔽部２１ｂは、原稿有無センサ２９の検知部２９ａを遮蔽している。原稿トレイ１４（図１（ａ）参照）にシートが載置されると、このシートによって押圧されて原稿有無フラグ２１が回動軸２１ａを中心に回動し、遮蔽部２１ｂが原稿有無センサ２９の検知部２９ａの遮蔽を解除する。すなわち、原稿有無フラグ２１がシートに当接して移動することで、第１検知部及び第１フォトセンサとしての原稿有無センサ２９がＯＦＦからＯＮになる。原稿有無フラグ２１及び原稿有無センサ２９は、第１検知手段６１を構成している。
【００２５】
そして、原稿トレイ１４上の原稿が給送手段としてのピックアップローラ１７によって全て給送され、原稿トレイ１４上に原稿が無くなると、原稿有無センサ２９はＯＮからＯＦＦになる。原稿有無センサ２９は、これらのＯＮ／ＯＦＦ信号を第１コネクタ部としてのコネクタ部２９ｂから出力し、ＯＮ／ＯＦＦ信号は、不図示の束線を介して制御部８０に送られる。このような原稿有無センサ２９の検知結果に基づいて、原稿トレイ１４に支持されるシートの有無が検知される。
【００２６】
図４は、搬送上ガイド３１を取り外した状態のＡＤＦ１１の斜視図である。搬送下ガイド３２は、図４に示すように、センサホルダ２８を着脱可能に支持している。具体的には、センサホルダ２８は、位置決め部３２ａ，３２ｂによって位置決めされた状態で、固定ビス３５によって搬送下ガイド３２に固定される。支持部材及び第１支持部材としてのセンサホルダ２８は、搬送下ガイド３２に固定された状態において、図３に示すように、読取センサ２６の上方に配置されている。これにより、装置の小型化を図ることができる。センサホルダ２８には、原稿有無センサ２９と、原稿エッジセンサ３０と、原稿エッジフラグ２５と、が取り付けられている。
【００２７】
第２移動部及び第２フラグとしての原稿エッジフラグ２５は、回動軸２５ａを中心にセンサホルダ２８に移動可能に支持されており、原稿エッジセンサ３０の検知部３０ａを遮蔽可能な遮蔽部２５ｂと、搬送路２２に突出可能な突出部２５ｃと、を有している。原稿エッジフラグ２５の突出部２５ｃは、待機状態で搬送路２２に突出するように配置されており、このとき遮蔽部２５ｂは、原稿エッジセンサ３０の検知部３０ａを遮蔽している。搬送される原稿Ｄ１の先端によって原稿エッジフラグ２５の突出部２５ｃが押圧されると、原稿エッジフラグ２５が回動軸２５ａを中心に回動し、遮蔽部２５ｂが原稿エッジセンサ３０の検知部３０ａの遮蔽を解除する。すなわち、原稿エッジフラグ２５がシートに当接して移動することで、第２検知部及び第２フォトセンサとしての原稿エッジセンサ３０がＯＦＦからＯＮになる。原稿エッジフラグ２５及び原稿エッジセンサ３０は、第２検知手段６２を構成している。
【００２８】
そして、原稿Ｄ１の後端が原稿エッジフラグ２５を通過すると、原稿エッジフラグ２５は待機状態に戻り、原稿エッジセンサ３０はＯＮからＯＦＦになる。原稿エッジセンサ３０は、これらのＯＮ／ＯＦＦ信号を第２コネクタ部としてのコネクタ部３０ｂから出力し、ＯＮ／ＯＦＦ信号は、不図示の束線を介して制御部８０に送られる。このような原稿エッジセンサ３０の検知結果に基づいて、搬送路２２を搬送される原稿Ｄ１の先端及び後端の位置、すなわち原稿Ｄ１の位置が検知される。
【００２９】
［センサホルダ］
センサホルダ２８は、上述したように、固定ビス３５を取り外すことで、図５に示すように、搬送下ガイド３２から簡単に取り外すことができる。そして、センサホルダ２８には、原稿有無センサ２９、原稿エッジセンサ３０及び原稿エッジフラグ２５が取り付けられているので、センサホルダ２８を取り外すだけでこれらセンサ及びフラグを同時に取り外すことができメンテナンス性を向上できる。
【００３０】
より具体的には、センサホルダ２８を取り外す際には、まずコネクタ部２９ｂ，３０ｂに接続される不図示の束線をコネクタ部２９ｂ，３０ｂから取り外し、その後センサホルダ２８を搬送下ガイド３２から取り外す。この時、コネクタ部３０ｂに接続される束線は、案内爪３６，３７によってＡＤＦ１１の後方に向かって案内されているが、センサホルダ２８の取り外しに際して束線が邪魔になることが無い。このため、原稿有無センサ２９及び原稿エッジセンサ３０は、センサホルダ２８を取り外すだけで同時にＡＤＦ１１から取り外すことができ、かつ束線処理をする必要が無く、メンテナンス性を向上することができる。
【００３１】
更に、原稿エッジセンサ３０及び原稿エッジフラグ２５が同一部材であるセンサホルダ２８に取り付けられているため、部品間の公差を低減することができ、原稿Ｄ１の位置を精度良く検知可能である。一方で、原稿有無センサ２９はセンサホルダ２８に支持され、かつ原稿有無フラグ２１は搬送上ガイド３１に支持されており、これら原稿有無センサ２９及び原稿有無フラグ２１はそれぞれ別部材に取り付けられている。しかしながら、原稿有無センサ２９は原稿トレイ１４に支持される原稿の有無を検知するのみであって、原稿有無センサ２９の検知精度は十分保たれている。
【００３２】
なお、本実施の形態では、原稿有無センサ２９及び原稿エッジセンサ３０は、発光部から発せられた光が受光部である検知部２９ａ，３０ａによって検知されるか否かによって出力状態が変わるフォトセンサから構成されているが、これに限定されない。すなわち、非接触式の光センサに限らず、例えば接触式のマイクロスイッチ等を用いてもよい。また、センサの用途は、原稿の有無や原稿の位置を検知するものに限定されない。いずれのセンサを用いた場合であっても、センサホルダ２８には、束線が接続されるコネクタを有するセンサが支持される。
【００３３】
また、本実施の形態では、センサホルダ２８には、原稿有無センサ２９、原稿エッジセンサ３０及び原稿エッジフラグ２５が取り付けられているが、これに限定されず、例えば原稿エッジフラグ２５は他の部材に取り付けられていてもよい。また、センサホルダ２８に取り付けられるセンサやフラグの数は、２個や１個に限らず、これ以上でも良い。
【００３４】
また、本実施の形態では、原稿に押圧されることで原稿有無フラグ２１や原稿エッジフラグ２５が回動するように構成したが、これに限定されない。すなわち、原稿に押圧されることで原稿有無センサ２９及び原稿エッジセンサ３０が回動し、原稿有無フラグ２１及び原稿エッジフラグ２５は固定されていてもよい。また、原稿有無フラグ２１や原稿エッジフラグ２５が回動ではなく、例えばスライド移動するように構成してもよい。
【符号の説明】
【００３５】
１０：画像読取装置（画像読取部）／１４：シート支持手段（原稿トレイ）／１６：第１読取部（読取センサ）／１７：給送手段（ピックアップローラ）／２１：第１移動部、第１フラグ（原稿有無フラグ）／２５：第２移動部、第２フラグ（原稿エッジフラグ）／２６：第２読取部（読取センサ）／２８：支持部材、第１支持部材（センサホルダ）／２９：第１検知部、第１フォトセンサ（原稿有無センサ）／２９ｂ：第１コネクタ部（コネクタ部）／３０：第２検知部（原稿エッジセンサ）／３０ｂ：第２コネクタ部（コネクタ部）／３１：第１案内部材、第２支持部材（搬送上ガイド）／３２：第２案内部材（搬送下ガイド）／４０：本体部／５０：読取手段（読取ユニット）／６１：第１検知手段／６２：第２検知手段／６３：案内手段
【図１】
2018133699.tif 000003
【図２】
2018133699.tif 000004
【図３】
2018133699.tif 000005
【図４】
2018133699.tif 000006
【図５】
2018133699.tif 000007